(57)【要約】【課題】万年筆の書き味のようにしなやかで、かつ、やわらかい書き味が得られるマーキングペンを提供する。【解決手段】インクタンク１とキャップ２を有するマーキングペンにおいて、ペン芯５の周囲にスプリング等のコイル状物体６を取り付け、更にコイル状物体６の周囲にスプリングの保護をするガイド部材８を取り付けた。ガイド部材８からのペン芯５の出寸法とスプリング６の弾性力を利用することで、しならせて筆記することが可能なペン先を持つマーキングペン構造とした。【選択図】図８
2010194787.tif 000002
【特許請求の範囲】
【請求項１】
ペン芯を有するペン先と前記ペン先を覆うよう着脱可能に嵌合するキャップと軸体で構成されたマーキングペンにおいて、前記ペン芯の外周面がコイル状物体で覆われているペン先を有するマーキングペン。
【請求項２】
前記コイル状物体の外周面には、ガイド部材が形成された請求項１記載のマーキングペン。
【請求項３】
前記コイル状物体はスプリングである請求項１又は２記載のマーキングペン。
【請求項４】
前記コイル状物体のコイル間は密着している請求項１乃至３記載のマーキングペン。
【請求項５】
前記コイル状物体の外周面は前記ペン芯の外周面と略平行である請求項１乃至４記載のマーキングペン。
【発明の詳細な説明】
【技術分野】
【０００１】
本発明は、主にフェルトやプラスチック製のペン先を有するマーキングペンに関するものである。
【背景技術】
【０００２】
マーキングペンは、ペン先にあるペン芯を被筆記体に押し付けて描線を筆記するため、紙、プラスチック、ガラスなど被筆記体の性質に関わらず筆記可能な特徴を有している。
しかしながら、このような押し付けて書くという特徴からペン芯が磨耗したり、潰れやすかったり、やわらかく滑らかな書き味を得にくいなどの課題を有していた。
やわらかく滑らかな書き味を得るにためはペン芯の材質を軟らかい素材にすることや、ペン芯自体が適度にしなるようにすることが望ましいが、ペン芯自体の耐久性を低下させてしまうといった欠点があった。
【０００３】
上記課題を解決するために、ペン芯の中心部に針状物体を挿入することでペン芯の剛性を得つつ、やわらかい書き味を得るペン芯（特許文献１）や、ペン芯の周囲に合成樹脂またはゴム弾性材料のホルダーを取り付けた筆記具（特許文献２）が開示されている。
【先行技術文献】
【特許文献】
【０００４】
【特許文献１】特開昭６３−２５１００号公報
【特許文献２】特開２００５−１３１９４３号公報
【発明の概要】
【発明が解決しようとする課題】
【０００５】
しかしながら、上記の特許文献１においては、針状物体が一本のみであることから何度か筆記するにつれて針状物体の弾性力が低下し、塑性変形するためペン芯の剛性を維持しつつやわらかい書き味を得つづけることが困難である。また、中心部にインク流路を有するペン芯の場合、その流路を針状物体が塞いでしまいインク流出量を低下させてしまうといった課題も有している。
一方、特許文献２においては、合成樹脂またはゴム弾性材料からなるホルダーがペン先に向かうに従い薄肉形状をとって中芯を被覆した形態をとっており、中芯の変形で書き味を調整し、ホルダーは中芯の変形を保持する役目を果たすものである。このため、筆記を繰り返し行うことにより中芯の変形も繰り返されるため、ペン先の耐久性が低くなってしまう点に課題を有している。
【課題を解決するための手段】
【０００６】
そこで本発明者らは、鋭意開発の結果、以下の発明を得るに至った。
ペン芯を有する筆記ペン先と前記ペン先を覆うよう着脱可能に嵌合するキャップと軸体で構成されたマーキングペンにおいて、前記ペン芯の外周面がコイル状物体で覆われているペン先を有するマーキングペンである。ペン芯の外周面をコイル状物体で覆うことによりペン芯をしならせて筆記した後でも元のペン芯の状態に復元することができる。
【０００７】
更にコイル状物体の外周面には、ガイド部材を形成したマーキングペンであることを特徴としている。ガイド部材を形成することでペン芯のしなり具合を調整することが可能であり、ユーザーの多様な筆記感覚に対応することが可能である。
【０００８】
更にコイル状物体はスプリングであるマーキングペンであることを特徴としている。スプリングであることでペン芯の長さ方向と垂直にしならせても容易に復元することが可能である。
【０００９】
更にコイル状物体のコイル間は密着しているマーキングペンであることを特徴としている。コイル状物体のコイル間が密着とは、全圧縮のスプリング等を示しているが、コイル間を密着することでペン芯をしならせて筆記した後の復元時におけるペン芯のダメージを少なくすることが可能である。
【００１０】
更にコイル状物体の外周面はペン芯の外周面と略平行であるマーキングペンであることを特徴としている。コイル状物体とペン芯の外周が、従来技術とは異なり略平行にすることによって、しならせて筆記した後のペン芯の復元を容易にすることが可能である。
【発明の効果】
【００１１】
ペン先の耐久性を維持しながら、万年筆のような書き味を得られることができる。ペン芯とコイル状物体の突出量を調整することで、ペン芯のしなり具合が変わるので書き味の調整が出来る。筆圧を掛けてもペン先が割れない構造であるため、様々なユーザーの筆記圧や筆記角度にも対応が可能である。また、ガイド部材を用いることで更に好みの書き味の調整を容易にすることができる。
【図面の簡単な説明】
【００１２】
【図１】本発明の第１の実施例におけるマーキングペン全体図である。
【図２】本発明の第１の実施例におけるペン先の拡大図である。
【図３】本発明の第１の実施例における継手前方からのコイル状物体の出寸法を長くしたペン先の拡大図である。
【図４】本発明の第１の実施例における継手前方からのコイル状物体の出寸法を短くしたペン先の拡大図である。
【図５】本発明の第１の実施例におけるコイル状物体の各コイル間の隙間を形成したペン先の拡大図である。
【図６】本発明の第１の実施例におけるコイル状物体のコイル線径を太くしたペン先の拡大図である。
【図７】本発明の第２の実施例におけるマーキングペン全体図である。
【図８】本発明の第２の実施例におけるペン先の拡大図である。
【発明を実施するための形態】
【００１３】
これより図面を参照して説明する。本実施例において、前方はキャップやペン芯のある側、後方はインクやインクタンクのある側をいう。
【００１４】
図１は、本発明の実施例における第一の形態の全体図である。インクタンク１にペン芯５や継手７を取り付け、キャップ２でペン芯５を覆っているマーキングペンである。既存のインクを浸み込ませた中綿３がインクタンク１に収容され、尾栓４によりインク漏れと中綿３とペン芯５が外れるのを防止しているごく一般のマーキングペンの形態である。インクタンク１に収容するインクは、中綿３に浸み込ませたものでなくても、液体のインクが直接インクタンク内に入っているマーキングペンであれば問題は無い。
【００１５】
キャップ２は、ペン芯５の乾燥を防ぐ。キャップ２は、ごく一般に用いられるマーキングペンのキャップでインクタンク１の外周部とキャップ２の内周部に各々突起部を形成し、嵌合することで未使用時におけるペン芯５の乾燥と落下におけるダメージの保護をする
【００１６】
図２は、図１の前方を詳細に示した拡大図である。ペン芯５の後方側は、芯後端面１１が形成され、前方の方へはほぼテーパ状に径が大きくなっている。芯後端面１１の先を細くすることによって中綿３との挿入を容易にしている。前方側は、先端が曲面を有した芯前端面１２が形成され、後方に進むに従い若干の直線部を経てテーパ状に太くなっている。このような曲面を有し、先が細くなっている形状にすると滑らかな書き味を得ることができる。ペン芯５の前方周囲にはコイル状物体６を配置し、ほぼ中間位置にて継手７の固定部１３で継手７と固定され、芯後端面１１は中綿３に挿入している。中綿３にインクを浸み込ませることで、毛細管現象により芯前端面１２にインクが伝わり、筆記することができる。ペン芯５の材質は、一般的なマーキングペンのペン芯であるＰＥＥＫ（ポリエーテルエーテルケトン）、ポリアセタール、ポリプロピレン、ポリフッ化ビニリデン、等を用いる。ペン芯の外径は、０．４ｍｍ〜１．５ｍｍの間が望ましい。０．４ｍｍ未満であると繰り返しのしなりの復帰がしづらく、１．５ｍｍ以上だとしなりの効果が得られないためである。
【００１７】
コイル状物体６は、ペン芯５の周囲に配置され、芯前端面１２を突出させて、その若干後方から継手７の段加工されているコイル受け１４まで配置している。コイル状物体６とは、金属や樹脂の線材や細い板材を用いて複数の環を連続して形成した物体、一般的にはバネ、スプリング等をいう。本実施例においては、コイル状物体６は、ペン芯５と共にしならせても容易に復帰が可能な全圧縮のスプリングを用いている。スプリングを用いることで、ゴムのような弾性材料の場合より大きなしなりを得られることと復元力が高いので、様々なユーザーの筆圧や筆記角度にも対応することができる。
【００１８】
継手７は、ペン芯５とコイル状物体６とを固定し、インクタンク１と嵌合する。継手７は、外観形状は茸状で、中心部にペン芯５を貫通する孔１５と、孔１５の途中に段状であるコイル受け１４を形成している。後方側の外周部にはインクタンク１と嵌合する嵌合部１６が形成されている。孔１５の継手前端面１７の周りには、ペン芯５とコイル状物体６を容易に挿入できるように面取部１８が形成されている。面取部１８を形成することで、ペン芯をしならせて筆記してもコイル状物体６の線材間が孔１７の端面に引っかからないため、滑らかに元の位置に戻ることができる。継手７のコイル受け１４はコイル状物体６を挿入した時におけるコイル状物体６の後端部を規制することと固定する機能を持つ。コイル受け１４の後方は、継手の孔１５より小さい径の固定部１３が形成され、ペン芯５が継手７から外れないように固定する役割を持つ。継手７とペン芯５とコイル状物体６との固定は、継手７とペン芯５は固定部１３にて圧入で固定される。固定することでペン芯５の緩みを防止し、筆記時におけるインクの流出性を向上させている。継手７とコイル状物体６はコイル受け１４で圧入又は接着により固定される。固定する長さは、ペン芯５が挿入した後、ペン芯５とコイル状物体６が継手７から外れなければ特に制限しないものの、共に長くとも継手前端面１７までの孔１５内で固定することが望ましい。各々固定できれば、ペン芯５とコイル状物体６と継手７とは孔１５内で各々隙間があっても良い。ペン芯５とコイル状物体６の継手前端面１７から突出している長さは、筆記時のしなりを得られれば突出していれば良いので特に指定しない。
【００１９】
図３は、継手前端面１７からのコイル状物体６の出寸法を長くした形態のペン先の拡大図である。図２と比較して、コイル状物体６の前方端面からのペン芯５の出寸法が短くなっている。
【００２０】
図４は、継手前端面１７からのコイル状物体６の出寸法を長くした形態のペン先の拡大図である。図２と比較して、コイル状物体６の前方端面からのペン芯５の出寸法が長くなっている。  図２から図４において、ペン芯５がコイル状物体６から突出している長さは１〜３ｍｍであり、筆記時における磨耗で突出長さが減ることを考慮し、１．５ｍｍが望ましい。
【００２１】
図５は、コイル状物体６の各コイル間に隙間を形成した状態である。各コイル間の隙間を形成してもコイル状物体の戻る力は十分得られているので、ペン芯をしならせて筆記しても、筆記後は十分に元の位置に復元することができる。
【００２２】
図６は、コイル状物体６の線径を太くした形態である。
コイルの線径は０．１ｍｍ〜０．６ｍｍが望ましい。０．１ｍｍ未満は弾性力が弱いため筆記しても元の位置に戻ることができず、０．６ｍｍ以上にした場合は曲がらないのでしなやかな書き味を得ることができない。
【００２３】
図７は、第二の実施例であるマーキングペンの全体図である。第一の実施例と異なる点は、コイル状物体６の外周部にガイド部材８を配置したことである。ガイド部材８の配置以外については、第一の実施例の形態と同じである。
【００２４】
図８は、図７の前方を詳細に示した拡大図である。ガイド部材８を配置することで継手７を保護することができる。ガイド部材８の取り付けは、継手７の孔１５に圧入等により保持する。ガイド部材８は直接ペン芯５を保護する方式にすると、ペン芯５をしならせて筆記するとペン芯５が割れる可能性がある。本実施例はコイル状物体６を中間に配置することでペン芯５が割れるのを防ぐことができる。
【産業上の利用可能性】
【００２５】
本発明は、ペン芯にコイル状物体とガイド部材を形成することで、ユーザーの任意の筆圧に対応でき、かつ今までにないマーキングペンの書き味を提供できる産業上、有効に利用できるマーキングペンである。
【符号の説明】
【００２６】
１  インクタンク
２  キャップ
３  中綿
４  尾栓
５  ペン芯
６  コイル状物体（スプリング）
７  継手
８  ガイド部材
１１  芯後端面
１２  芯前端面
１３  固定部
１４  コイル受け
１５  孔
１６  嵌合部
１７  継手前端面
１８  面取部
【図１】
2010194787.tif 000003
【図２】
2010194787.tif 000004
【図３】
2010194787.tif 000005
【図４】
2010194787.tif 000006
【図５】
2010194787.tif 000007
【図６】
2010194787.tif 000008
【図７】
2010194787.tif 000009
【図８】
2010194787.tif 000010